(57)【要約】【課題】ひとの出入りを許容しながら、できるだけペットの脱出を防止することができるエントランスを備えるペット同伴飲食店舗システムを提供する。【解決手段】ペット同伴飲食店舗システムは、ペットを収容する店舗内の空間Ｉｘに店舗外の空間Ｅｘを接続するエントランス空間５２を区画するエントランス１４と、エントランス１４に設置されて店舗外の空間Ｅｘからエントランス空間５２を隔て、内開きに開放される際にエントランス空間５２に収容される第１扉４１と、エントランス１４に設置されてエントランス空間５２から店舗内の空間Ｉｘを隔て、内開きに開放される際に店舗内の空間Ｉｘに収容される第２扉４５とを備える。【選択図】図３
0003222320.tif 000002
【実用新案登録請求の範囲】
【請求項１】
ペットを収容する店舗内の空間に店舗外の空間を接続するエントランス空間を区画するエントランスと、
前記エントランスに設置されて前記店舗外の空間から前記エントランス空間を隔て、内開きに開放される際に前記エントランス空間に収容される第１扉と、
前記エントランスに設置されて前記エントランス空間から前記店舗内の空間を隔て、内開きに開放される際に前記店舗内の空間に収容される第２扉と、
を備えることを特徴とするペット同伴飲食店舗システム。
【請求項２】
請求項１に記載のペット同伴飲食店舗システムにおいて、前記第１扉には少なくとも部分的にガラスが埋め込まれることを特徴とするペット同伴飲食店舗システム。
【請求項３】
請求項１または２に記載のペット同伴飲食店舗システムにおいて、前記第２扉には少なくとも部分的にガラスが埋め込まれることを特徴とするペット同伴飲食店舗システム。
【請求項４】
請求項１〜３のいずれか１項に記載のペット同伴飲食店舗システムにおいて、前記エントランス空間と前記店舗内の空間とを隔てる壁には少なくとも部分的にガラスが埋め込まれることを特徴とするペット同伴飲食店舗システム。
【考案の詳細な説明】
【技術分野】
【０００１】
本考案は、ペットを収容する店舗内の空間に店舗外の空間を接続するエントランスを備えるペット同伴飲食店舗システムに関する。
【背景技術】
【０００２】
一般に、ペットが飼い主からはぐれて迷子になってしまうと、ペット探しにたいへんな労力が要求される。したがって、戸外では飼い主はリードにペットを繋ぎ止める。あるいは飼い主はペットから目を離さない。
【先行技術文献】
【特許文献】
【０００３】
【特許文献１】実用新案登録第３１０２０２０号公報
【考案の概要】
【考案が解決しようとする課題】
【０００４】
１つのテーブルで飼い主とペットとが食事することができる飲食店は提案される。店舗内では何かの拍子にペットが飼い主の目から離れてしまうことがある。ペットが単独で店舗外に脱出してしまうと、ペット探しにたいへんな労力が必要とされるかもしれない。エントランスの扉が常に閉じていれば、ペットは勝手に店舗外に脱出することはできない。飼い主は常に安心していられる。しかしながら、飲食店では多くのひとたちがエントランスから出入りすることから、常に扉を閉じておくことはできない。
【０００５】
本考案は、ひとの出入りを許容しながら、できるだけペットの脱出を防止することができるエントランスを備えるペット同伴飲食店舗システムを提供することを目的とする。
【課題を解決するための手段】
【０００６】
本考案の第１側面によれば、ペットを収容する店舗内の空間に店舗外の空間を接続するエントランス空間を区画するエントランスと、前記エントランスに設置されて前記店舗外の空間から前記エントランス空間を隔て、内開きに開放される際に前記エントランス空間に収容される第１扉と、前記エントランスに設置されて前記エントランス空間から前記店舗内の空間を隔て、内開きに開放される際に前記店舗内の空間に収容される第２扉と、を備えるペット同伴飲食店舗システムが提供される。
【０００７】
店舗内ではペットは飼い主とともに過ごす。ときたま、ペットは飼い主からはぐれてしまうことがある。第２扉の開放時にペットが第２扉の扉口をすり抜けても、第１扉が閉じられていればペットはエントランス空間から外側に脱出することはできない。ペットはエントランス空間で保持されることができる。ペットは単独で店舗外の空間に出て行くことはできない。このとき、第２扉は内開きなので、ひとは支障なく第２扉を開放することができる。ひとは第２扉を開放してエントランス空間内のペットを捕らえることができる。エントランス空間にペットが保持される際には、第１扉は内開きなので、ペットの位置に第１扉の軌道は干渉しやすい。第１扉の開放は躊躇される。こうしてペットはエントランス空間内に留められることができる。
【０００８】
前記第１扉には少なくとも部分的にガラスが埋め込まれてもよい。店舗外の空間からエントランス空間はガラス越しに視覚的に観察されることができる。したがって、エントランス空間内にペットがいれば、店舗外の空間から店舗に入室するひとは第１扉の開放を思い止まることができる。ペットはエントランス空間内に留められることができる。
【０００９】
前記第２扉には少なくとも部分的にガラスが埋め込まれてもよい。店舗内の空間からエントランス空間はガラス越しに視覚的に観察されることができる。したがって、エントランス空間内にペットがいれば、ひとは第２扉を開放してエントランス空間内のペットを捕らえることができる。
【００１０】
前記エントランス空間と前記店舗内の空間とを隔てる壁には少なくとも部分的にガラスが埋め込まれてもよい。店舗内の空間からエントランス空間はガラス越しに視覚的に観察されることができる。したがって、エントランス空間内にペットがいれば、ひとは第２扉を開放してエントランス空間内のペットを捕らえることができる。
【考案の効果】
【００１１】
以上のように開示の考案によれば、ひとの出入りを許容しながら、できるだけペットの脱出を防止することができるエントランスを備えるペット同伴飲食店舗システムは提供されることができる。
【図面の簡単な説明】
【００１２】
【図１】本考案の一実施形態に係る飲食店舗システムを含む建造物の外観を概略的に示す斜視図である。
【図２】本実施形態に係る飲食店舗システムを採用するキッチンおよびホールの構造を概略的に示す遠近法図である。
【図３】エントランスの構造を概略的に示す拡大斜視図である。
【考案を実施するための形態】
【００１３】
以下、添付図面を参照しつつ本考案の一実施形態を説明する。
【００１４】
図１は本考案の一実施形態に係る店舗を含む建造物の外観を概略的に示す。建造物１１は、鉄筋コンクリートや鉄筋鉄骨コンクリートその他の材質から形成される柱、梁、床、壁および天井を有する躯体１２と、躯体１２に組み込まれる窓枠１３とを備える。窓枠１３にはガラス板が嵌め込まれる。躯体１２には、ペットを収容する店舗内の空間に店舗外の空間を接続するエントランス１４が形成される。
【００１５】
図２に示されるように、建造物１１には飲食店舗システムＭが組み込まれる。飲食店舗システムＭは、躯体１２に組み付けられてキッチン１５を区画する第１構造体１６と、躯体１２に組み付けられて、キッチン１５から分離されたホール１７を区画する第２構造体１８とを備える。第１構造体１６および第２構造体１８は、それぞれ、間仕切り１９や置き床２１、天井板２２などを含む。ここでは、キッチン１５は間仕切り１９でホール１７から分離される。その他、キッチン１５はカウンターでホール１９から分離されるオープンキッチンに構成されてもよい。
【００１６】
飲食店舗システムＭは、ホール１７内に設置される１以上のテーブル２３を備える。個々のテーブル２３は、置き床２１の床面から所定の高さに脚２４で支持される天板２５を備える。天板２５の天面には、座席を収容する座席スペースを形成する線形の第１辺２５ａと、第１辺２５ａに向き合って、座席を収容する座席スペースを形成する線形の第２辺２５ｂとが規定される。座席スペースはひとりひとりに割り当てられる。１つの座席スペースは標準的な大人に十分な大きさに形成される。ここでは、第１辺２５ａと第２辺２５ｂとは相互に平行に位置する。天面の輪郭は、第１辺２５ａおよび第２辺２５ｂから等距離に位置する中間線に直交し、第１辺２５ａから第２辺２５ｂまで延びる側辺２５ｃをさらに含む。したがって、天面の輪郭は矩形である。矩形の角は面取りされてもよい。
【００１７】
テーブル２３には、第１辺２５ａに沿って個々の座席スペースごとに配置されるチェア２６と、第２辺２５ｂに沿って複数の座席スペースに共通に配置されるベンチシート２７とが組み合わせられる。チェア２６およびベンチシート２７は、床面から決められた高さに位置し、ひとＨＢの臀部を支持する座面を有する。チェア２６およびベンチシート２７にひとＨＢは着席することができる。
【００１８】
テーブル２３には、第１辺２５ａに沿って特定の座席スペースに配置されるドッグチェア２８が組み合わせられる。ドッグチェア２８は、犬ＤＧを支持する座面２８ａを有する。ドッグチェア２８の座面２８ａは置き床２１の表面（床面）から所定の高さに位置する。
【００１９】
ドッグチェア２８は、床面に平行に水平面内に広がる座面２８ａを形成するシート２９ａを備える。シート２９ａはレッグ２９ｂで床上に支持される。シート２９ａには、座面２８ａ上の空間を後方から覆う背もたれ２９ｃが結合される。座面２８ａ上の空間の左右両側で背もたれ２９ｃおよびシート２９ａには肘掛け２９ｄが結合される。
【００２０】
個々のテーブル２３にはロースター３１が設置される。ロースター３１は、バーナーの上方で金網３１ａを保持する開口３１ｂと、金網３１ａの上方で金網３１ａを取り囲み開口３１ｂの内壁に配置される排気口３１ｃとを備える。金網３１ａの上に置かれた食材はバーナーで焼かれることができる。排気口３１ｃは金網３１ａ上の空間に向き合わせられる。金網３１ａ上の空間から排気口３１ｃに空気は流入する。
【００２１】
飲食店舗システムＭは、少なくともキッチン１５およびホール１７で流通する第１食器３２および第２食器３３を備える。第１食器３２および第２食器３３は個々のテーブル２３に載せられる。第１食器３２はひとＨＢに対する食事の提供に用いられる。第１食器３２は皿および椀、ボウル、箸、スプーン、フォークその他を含む。
【００２２】
第２食器３３は犬ＤＧに対する食事の提供に用いられる。第２食器３３は皿および椀、ボウル、箸、スプーン、フォークその他を含む。ひとＨＢに専用の第１食器３２と犬ＤＧに専用の第２食器３３とは分別される。ひとＨＢ専用の第１食器３２は犬ＤＧの食事には用いられない。犬ＤＧ専用の第２食器３３はひとＨＢの食事には用いられない。ここでは、第１食器３２は第２食器３３から色分けされる。第１食器３２の皿や椀、ボウルは例えば白色に着色される一方で、第２食器３３の皿や椀、ボウルは例えば赤色に着色される。第２食器３３は例えば床面に置かれる犬ＤＧ用の食事台３４に載せられてもよい。
【００２３】
キッチン１５には、ガスコンロ３５といった調理器具や冷蔵庫その他の電化製品が設置される。ガスコンロ３５で食材の調理は実施される。ガスコンロ３５の上方には換気扇ユニット３６が設置される。換気扇ユニット３６でシロッコファンが回転すると、ガスコンロ３５上の空間から空気は換気口３７に流入する。ガスコンロ３５で熱せられ食材の調理匂いを含む空気は換気口３７に吸い込まれる。
【００２４】
第１食器３２の皿や椀、ボウルにはキッチン１５で食物が盛りつけられる。第１食器３２はキッチン１５からホール１７に運ばれる。第１食器３２には、テーブル２３に着くひとＨＢに提供される食物が支持される。食後の第１食器３２は例えばキッチン１５内の洗い場で洗浄される。こうして第１食器３２は少なくともキッチン１５およびホール１７で流通する。
【００２５】
同様に、第２食器３３の皿や椀、ボウルにはキッチン１５で食物が盛りつけられる。第２食器３３はキッチン１５からホール１７に運ばれる。第２食器３３には、ひとＨＢに連れられてきた犬ＤＧに提供される食物が支持される。食後の第２食器３３は例えばホール１７内の洗い場で洗浄される。こうして第２食器３３は少なくともキッチン１５およびホール１７で流通する。
【００２６】
図３に示されるように、エントランス１４は、床面（地面）から少なくとも天井面まで鉛直方向に立ち上がり、第１扉４１を支持する第１支柱４２と、第１支柱４２から間隔Ｗで離れた位置で床面から少なくとも天井面まで鉛直方向に立ち上がり、第１支柱４２との間に第１扉４１で開閉される第１戸口４３を区画する第１側柱４４と、通り道に沿って第１支柱４２から間隔Ｗよりも大きい距離Ｌで離れた位置に配置され、床面から少なくとも天井面まで鉛直方向に立ち上がり、第２扉４５を支持する第２支柱４６と、第２支柱４６から間隔Ｗで離れた位置で床面から少なくとも天井面まで鉛直方向に立ち上がり、第２支柱４６との間に第２扉４５で開閉される第２戸口４７を区画する第２側柱４８とを備える。
【００２７】
第１支柱４２と第２支柱４６との間には第１壁４９が形成される。第１側柱４４と第２側柱４８との間には第２壁５１が形成される。第1壁４９と第２壁５１との間にエントランス空間５２は区画される。エントランス空間５２は直方体の空間で構成される。直方体で相互に向き合う２平面に第１戸口４３および第２戸口４７はそれぞれ配置される。第１壁４９および第２壁５１はそれぞれ店舗内の空間Ｉｘからエントランス空間５２を隔てる。
【００２８】
第１壁４９および第２壁５１にはそれぞれ少なくとも部分的にガラスが埋め込まれる。ガラスは、少なくとも店舗内の空間Ｉｘからエントランス空間５２全体を観察することができる程度の大きさの窓を形成すればよい。ここでは、第１壁４９は第１支柱４２および第２支柱４６の間に嵌め込まれるガラス板で形成される。第２壁５１は第１側柱４４および第２側柱４８の間に嵌め込まれるガラス板で形成される。ガラス板に代えて例えば格子戸様のフレーム体が用いられてもよい。
【００２９】
第１扉４１は、第１支柱４２にヒンジで連結されて、片開きの開き戸に構成される。第１扉４１は店舗外の空間Ｅｘからエントランス空間５２を隔てる。第１扉４１は、内開きに開放される際にエントランス空間５２に収容される。第１扉４１の開放は内開きのみに規制される。店舗外の空間Ｅｘに向かって第１扉４１は開放されることはできない。
【００３０】
第１扉４１には少なくとも部分的にガラスが埋め込まれる。ガラスは、店舗外の空間Ｅｘからエントランス空間５２全体を観察することができる程度の大きさの窓を形成すればよい。ここでは、第１扉４１全体はガラス板で形成される。ただし、ガラス板に代えて例えば格子戸様のフレーム体が用いられてもよい。
【００３１】
第２扉４５は、第２支柱４６にヒンジで連結されて、片開きの開き戸に構成される。第２扉４５はエントランス空間５２から店舗内の空間Ｉｘを隔てる。第２扉４５は、内開きに開放される際に店舗内の空間Ｉｘに収容される。第２扉４５の開放は内開きのみに規制される。エントランス空間５２に向かって第２扉４５は開放されることはできない。
【００３２】
第２扉４５には少なくとも部分的にガラスが埋め込まれる。ガラスは、店舗内の空間Ｉｘからエントランス空間５２全体を観察することができる程度の大きさの窓を形成すればよい。ここでは、第２扉４５全体はガラス板で形成される。ただし、ガラス板に代えて例えば格子戸様のフレーム体が用いられてもよい。
【００３３】
店舗内では犬ＤＧは飼い主ＨＢとともに過ごす。ときたま、犬ＤＧは飼い主ＨＢからはぐれてしまうことがある。第２扉４５の開放時に犬ＤＧが第２戸口４７をすり抜けても、第１扉４１が閉じられていれば犬ＤＧはエントランス空間５２から外側に脱出することはできない。犬ＤＧはエントランス空間５２で保持されることができる。犬ＤＧは単独で店舗外の空間Ｅｘに出て行くことはできない。
【００３４】
このとき、第２扉４５は内開きなので、店舗内のひとは支障なく第２扉４５を開放することができる。ひとは第２扉４５を開放してエントランス空間５２内の犬ＤＧを捕らえることができる。エントランス空間５２に犬ＤＧが保持される際には、第１扉４１は内開きなので、犬ＤＧの位置に第１扉４１の軌道は干渉しやすい。第１扉４１の開放は躊躇される。こうして犬ＤＧはエントランス空間５２内に留められることができる。
【００３５】
本実施形態では第１扉４１には少なくとも部分的にガラスが埋め込まれる。店舗外の空間Ｅｘからエントランス空間５２はガラス越しに視覚的に観察されることができる。したがって、エントランス空間５２内に犬ＤＧがいれば、店舗外の空間Ｅｘから店舗に入室するひとは第１扉４１の開放を思い止まることができる。犬ＤＧはエントランス空間５２内に留められることができる。
【００３６】
同様に、第２扉４５には少なくとも部分的にガラスが埋め込まれる。店舗内の空間Ｉｘからエントランス空間５２はガラス越しに視覚的に観察されることができる。したがって、エントランス空間５２内に犬ＤＧがいれば、ひとは第２扉４５を開放してエントランス空間５２内の犬ＤＧを捕らえることができる。
【００３７】
加えて、エントランス空間５２と店舗内の空間Ｉｘとを隔てる第１壁４９および第２壁５１には少なくとも部分的にガラスが埋め込まれる。店舗内の空間Ｉｘからエントランス空間５２はガラス越しに視覚的に観察されることができる。したがって、エントランス空間５２内に犬ＤＧがいれば、ひとは第２扉４５を開放してエントランス空間５２内の犬ＤＧを捕らえることができる。
【符号の説明】
【００３８】
１４…エントランス、４１…第１扉、４５…第２扉、５２…エントランス空間、ＤＧ…ペット（犬）、Ｅｘ…店舗外の空間、Ｉｘ…店舗内の空間、Ｍ…ペット同伴飲食店舗システム（飲食店舗システム）。
【図１】
0003222320.tif 000003
【図２】
0003222320.tif 000004
【図３】
0003222320.tif 000005